(57)【要約】      （修正有）【課題】顔面との隙間を極力生じ難くし、呼吸を楽にする機能を備え、ウイルス感染防止等の諸機能も確保しながら、再利用可能とする衛生マスクを提供する。【解決手段】マスク本体２と、耳掛け部３、から衛生マスク１を構成する。マスク本体は、ウイルス等のタンパク質が帯電するのと同極電荷に帯電し易いか、又は、その極側にほぼ中性の素材を使用する。マスク本体の中央部の上端部には、Ｖ字状切欠部２ａを形成し、マスク本体の上下方向の中間部であって、装着時、口部の上部に位置する部分には、湾曲可能な細帯状体６を配置させる。マスク本体の両側部に縦方向に貫通する耳掛け装着部２ｂを形成し、この耳掛け装着部に掛け紐７を挿通させて、耳掛け部を構成する。【選択図】図１
0003234220.tif 000002
【実用新案登録請求の範囲】
【請求項１】
マスク本体と、このマスク本体を保持する耳掛け部と、前記マスク本体と顔面に空間を形成するための細帯状体と、から構成される衛生マスク。
【請求項２】
前記マスク本体は、ウイルス等のタンパク質が帯電するのと同極電荷に帯電し易いか、又は、その極側にほぼ中性の素材を使用したことを特徴とする請求項１に記載の衛生マスク。
【請求項３】
前記マスク本体は、装着時、少なくとも、顔面の外側鼻軟骨、眼窩下孔、口角、オトガイ孔を結ぶ線によって構成される面を被覆するものであることを特徴とする請求項１又は２に記載の衛生マスク。
【請求項４】
前記マスク本体は、その中央部の上端部にＶ字等状切欠部を形成したことを特徴とする請求項１乃至３の何れかに記載の衛生マスク。
【請求項５】
前記マスク本体は、装着時、顔面の鼻尖と下唇との間の部分に、湾曲可能な細帯状体を配置させたことを特徴とする請求項１乃至４の何れかに記載の衛生マスク。
【請求項６】
前記マスク本体は、その両側部に縦方向に貫通する耳掛け部を構成したことを特徴とする請求項１乃至５の何れかに記載の衛生マスク。
【考案の詳細な説明】
【技術分野】
【０００１】
本考案は、防寒、防塵、花粉、風邪、ウイルス感染防止等のために顔面に装着する一般家庭用の衛生マスクに関する。
【背景技術】
【０００２】
一般家庭用の衛生マスクは、材質面からすると、図７に示すようなガーゼタイプのマスクと、図８に示すような不織布タイプのマスクとに区分される。
【０００３】
ガーゼタイプのマスク１０１は、図７に示すように、綿織物であるガーゼ１０２を重ね合わせて構成したものであって、保温性及び保湿性に優れ、洗浄して再利用できるために経済的であるが、不織布タイプのマスクに比して性能に劣るという欠点がある。
【０００４】
しかし、最近では、顔面下部にフィットし易いように立体的な形状に構成したり、内側面に補助部材を貼着する等して抗菌機能を保有させたものも販売されている。
【０００５】
さらに、呼気、吸気の臭気、室内環境中の有毒ガスの除去を可能とするものとして、積層させた複数枚のガーゼ２，２の間にシート状脱臭材１を配設して、脱臭機能を保有させたマスクが提案されている（特許文献１参照）。
【０００６】
一方、不織布タイプのマスク２０１は、図８に示すように、不織布を積層させて構成したものであって、使い捨てであることから経済的には若干問題ではあるが、容易に種々の機能を付加できることから、最近では、広く一般に使用されている。
【０００７】
最近の不織布タイプのマスク２０１は、図８に示すように、プリーツ２０２ａを形成した外側、内側の不織布カバー２０２，２０３の中間にフィルター２０４を配置した三層構造から成るものが一般的であり、外側カバー２０２によって飛沫を、中間フィルター２０４によって細菌、微粒子等を効率的に捕捉できるようになっている。
【０００８】
さらに、不織布タイプのマスクのデザイン性及び機能性を向上させるものとして、内側の不織布カバーにエンボス加工によって複数の凸部１３ａを形成すると共に、薬液を含侵させたマスクが提案されている（特許文献２参照）。
【０００９】
特許文献２に開示されたマスクによれば、不織布タイプのマスクとしてのデザイン性を損なうことなく、内側の不織布カバーに形成された凸部１３ａ及び含侵された薬液によって好適な通気性を確保できるという機能を奏する。
【先行技術文献】
【特許文献】
【００１０】
【特許文献１】特開平１０−１０８９１５号公報
【特許文献２】特開２０２１−０５０４２７号公報
【考案の開示】
【考案が解決しようとする課題】
【００１１】
特許文献１に開示されたマスクは、綿織物であるガーゼタイプのマスクであるため、顔面との隙間を生じ易い一方で、ガーゼが鼻部、口部に密着し、通気性を阻害して息苦しくなるという問題があった。
【００１２】
特許文献２に開示されたマスクは、プリーツを形成した不織布タイプのマスクであるため、やはり、顔面との隙間を生じ易く、口部の通気性を阻害して息苦しくなるという問題があった。
【００１３】
本考案は、このような従来の問題点に鑑みて為されたものであって、顔面との隙間を極力生じ難くする一方で、呼吸を楽にする機能を備え、ウイルス感染防止等の諸機能も確保しながら、再利用可能とする衛生マスクを提供することを目的とする。
【課題を解決するための手段】
【００１４】
上記目的を達成するために、本考案の衛生マスクは、マスク本体と、このマスク本体を保持する耳掛け部と、前記マスク本体と顔面に空間を形成するための細帯状体と、から構成したことを特徴とする。
【００１５】
ここで、前記マスク本体は、ウイルス等のタンパク質が帯電するのと同極電荷に帯電し易いか、又は、その極側にほぼ中性の素材を使用したことを特徴とする。
【００１６】
又、前記マスク本体は、装着時、少なくとも、顔面の外側鼻軟骨、眼窩下孔、口角、オトガイ孔を結ぶ線によって構成される面を被覆するものであることを特徴とする。
【００１７】
又、前記マスク本体は、マスク本体が鼻部の側面に好適に密着し、フィットするように、その中央部の上端部にＶ字等状切欠部を形成したことを特徴とする。
【００１８】
又、前記マスク本体は、装着時、顔面の鼻尖と下唇との間の部分に、湾曲可能な細帯状体を配置させたことを特徴とする。
【００１９】
さらに、前記マスク本体は、その両側部に縦方向に貫通する耳掛け部を構成したことを特徴とする。
【考案の効果】
【００２０】
本考案の衛生マスクは、マスク本体として、ウイルス等のタンパク質が帯電するのと同極電荷に帯電し易いか、又は、その極側にほぼ中性の素材を使用したから、ウイルスの侵入を効果的に防止することができる。
【００２１】
又、マスク装着時に、マスクが鼻部の側面に好適に密着し、フィットすると共に、口部周辺に適宜空間が形成され、激しい運動をしても息苦しくなく、長時間装着していても、耳が痛くなることがない。
【図面の簡単な説明】
【００２２】
【図１】本考案の衛生マスクの正面図である。
【図２】本考案の衛生マスクを中央で折り畳んだ状態を示す図である。
【図３】本考案の衛生マスクの背面図である。
【図４】本考案の衛生マスクを起立させた状態を示す、背面上方から視た外観斜視図である。
【図５】内側カバーの上下方向中間部に湾曲可能な細帯状体を挿入する方法を示す説明図である。
【図６】人間の顔面の骨格を示す説明図である。
【図７】従来のガーゼタイプの衛生マスクの外観斜視図である。
【図８】従来の不織布タイプの衛生マスクの外観斜視図である。
【考案を実施するための形態】
【００２３】
本考案の衛生マスクの好適な実施形態について、以下、図面を参照しながら詳細に説明する。
【００２４】
本考案の衛生マスク１は、図１乃至図５に示すように、マスク本体２と、耳掛け部３と、から構成してある。
【００２５】
マスク本体２は、図１及び図３に示すように、外側カバー４と、内側カバー５と、から構成してある。
外側カバー４と内側カバー５とは、その周囲を縫合することによって、積層化、一体化してある。
【００２６】
ここで、外側カバー４は、洗浄した際にマスク１が型崩れしないよう、比較的硬い素材から構成する。例えば、硬めの綿を採用することができる。
又、内側カバー５は、顔面に直接接触するため、比較的柔らかい素材から構成する。例えば、柔らかい絹を採用することができる。
【００２７】
外側カバー４は比較的硬い素材であるため、衛生マスク１を多数回洗浄しても、容易に型崩れすることはなく、又、顔面に直接接触する内側カバーは比較的柔らかい素材であるため、肌荒れ等を比較的防ぐことができる。
【００２８】
尚、新型コロナウイルスのスパイクタンパク質は正に帯電し易いことから、新型コロナウイルスの衛生マスク１内への侵入、付着を効果的に阻止するべく、外側カバー４及び内側カバー５の素材を正に帯電し易いか、又は、その極側にほぼ中性である素材とするのが好ましい。
ここで、麻、綿、絹は殆ど帯電しないか、若干ながら正に帯電し易いので、新型コロナウイルスの侵入、付着を効果的に阻止する素材として好適である。
【００２９】
マスク本体２は、図１乃至図４に示すように、両端部から中央部に至るに従って、漸次幅広となるような形状に構成してある。
このようにすれば、マスク本体２を立体的に構成することができ、マスク装着時、顔面下部にフィットし易くなる。
【００３０】
又、マスク本体２は、図６に示すように、装着時、少なくとも、顔面の外側鼻軟骨、眼窩下孔、口角、オトガイ孔を結ぶ線によって構成される面を十分に被覆する形状及び大きさとする。
ここで、下顎まででなくオトガイ孔としたのは、下顎まで被覆するものとすると、口を開けた時にマスク本体２が下方にずれて、鼻部分に大きく隙間が生じる虞れがあるからである。新型コロナウイルスが感染する形態としては、飛沫感染が主たるものと言われているから、顔面との間の隙間を失くす方がより重要と考えられる。
【００３１】
又、マスク本体２の中央部の上端部には、図４に示すように、Ｖ字状切欠部２ａを形成してある。ここで、切欠部２ａの内側への切込長さは、１〜３０ｍｍ、特には、５〜２０ｍｍとするのが好ましい。
尚、Ｖ字状切欠部２ａに代えて、Ｕ字状切欠部を形成するようにしてもよい。
【００３２】
これによって、マスク装着時に、使用者の鼻骨がＶ字状切欠部２ａに略位置することになって、マスク本体２が鼻部の側面に好適に密着し、フィットする。
そのため、マスク本体２が多少動いたとしても、顔面と鼻翼との間に隙間を極力生じないようにすることができる。
【００３３】
尚、Ｖ字状切欠部２ａは、マスク本体２の中央部の上端部だけでなく、下顎部の中央部にも形成してもよい。この場合、マスク本体２の形状は、上下同型とする。
これによれば、マスク本体２の上下を意識することなく、装着することができる。
【００３４】
さらに、マスク本体２の上下方向の中間部であって、マスク装着時に、口部の上部に位置する部分、すなわち、鼻尖と下唇との間の部分に、図４及び図５に示すように、湾曲可能な細帯状体６を配置させてある。
【００３５】
ここで、細帯状体６は、湾曲可能なものであればよく、合成樹脂製の細帯状体であってもよく、竹製の細帯状体であってもよく、ワイヤー入りビニル紐であってもよい。
又、細帯状体６は、１本だけでなく、複数本配置させてもよい。
【００３６】
細帯状体６は、外側カバー４と内側カバー５との間であって、マスク本体２の上下方向の中間部に配置させる。
ここで、内側カバー５に細帯状体６を挿入する切込部を形成しておき、その切込部から外側カバー４と内側カバー５との間に細帯状体６を挿入し、細帯状体６を挿入する部分の上下を縫合することによって、細帯状体６を配置、保持させるようにしてもよい。
【００３７】
又、図３に示すように、内側カバー５に、その左右方向に延び、一端に開口部を有する袋状部５ａを形成しておき、図５に示すように、その開口部からこの袋状部５ａに細帯状体６を挿入することによって、マスク本体２の上下方向の中間部に、細帯状体６を配置、保持させるようにしてもよい。
この場合には、細帯状体６は袋状部５ａに装着自在となるから、適宜時期に脱着させ、洗浄することができる。
【００３８】
尚、外側カバー４と内側カバー５との間に細帯状体６を挿入する形態であっても、内側カバー５に形成した袋状部５ａに細帯状体６を挿入する形態であっても、運動時等において細帯状体６が飛び出さないように、前記切込部、前記開口部は、マスク本体２の側端部よりも５ｍｍ程度内側に形成するのが好ましい。
【００３９】
このようにマスク本体２の上下方向の中間部に湾曲可能な細帯状体６を配置させ、鼻部の高さより若干高くアーチ状になるように屈曲すれば、マスク装着時、口部周辺に適宜空間が形成されることになるから、マスクを着用して激しい運動をしても息苦しくない。
【００４０】
前記外側カバー４及び前記内側カバー５は、図１及び図３に示すように、中央部で分割した分割カバー部材４Ａ，４Ｂ及び分割カバー部材５Ａ，５Ｂから成るものとし、それらを縫合して外側カバー４及び内側カバー５を構成するようにしてもよい。
【００４１】
このようにすれば、マスク本体２をより容易に立体的に構成することができ、又、マスク本体２の中央部の上端部に、より容易にＶ字状切欠部２ａを形成することができる。
【００４２】
さらに、図１に示すように、中央部で分割した分割カバー部材４Ａ，４Ｂ及び分割カバー部材５Ａ，５Ｂから成るものとすれば、左右で模様、色彩等が異なる種々の興趣に富んだデザインのマスク１を作製することができる。
【００４３】
尚、マスク本体２を立体的に構成し、顔面との間に空間を形成できる縫製によれば、左右２体の分割カバー部材４Ａ，４Ｂ、分割カバー部材５Ａ，５Ｂから成るものせず、１体の部材から成るものとしてもよい。
【００４４】
マスク本体２の両端部には、図１乃至図４に示すように、縦方向に貫通する耳掛け装着部２ｂを形成してあり、この耳掛け装着部２ｂに掛け紐７を挿通させて、耳掛け部３を構成してある。
【００４５】
ここで、掛け紐７は、少々太い組み紐であって、掛け紐７の一端部７ａを他端部７ｂに形成した結び目７ｃに挿通することによって、輪状部７ｄを形成してある。そして、輪状部７ｄを耳部に掛けることによって、衛生マスク１を顔面下部に装着することができる。
【００４６】
このように、掛け紐７として少々太い組み紐を採用すれば、細いゴム紐を採用した場合のように、掛け紐７が耳部の付け根部に食い込むことはなく、長時間衛生マスク１を装着していても、特に耳が痛くなることはない。
【００４７】
又、掛け紐７の一端部７ａを他端部７ｂに形成した結び目７ｃから引き出す長さを適宜変更することによって、輪状部７ｄの大きさを調整でき、年齢、性別等で顔面の大きさが異なっていても、衛生マスク１と顔面との隙間を極力小さくすることができ、衛生マスク１を顔面にフィットさせて装着することができる。
【００４８】
以上のように、本考案の衛生マスク１によれば、外側カバー４を比較的硬い素材から構成すると共に、内側カバー５を比較的柔らかい素材から構成することによって、衛生マスク１を多数回洗浄しても、容易に型崩れすることはなく、顔面が肌荒れ等することも防止することができる。
【００４９】
又、外側カバー４及び内側カバー５の素材として、正に帯電し易いか、又は、その極側にほぼ中性である素材を採用したから、新型コロナウイルスの衛生マスク１内部への侵入、付着を効果的に阻止することができる。
【００５０】
又、マスク本体２の中央部の上端部にＶ字状切欠部２ａを形成したから、マスク装着時に、使用者の鼻骨がＶ字状切欠部２ａに略位置することになって、マスク１が鼻部の側面に好適に密着し、フィットさせることができる。
【００５１】
又、マスク本体２の上下方向の中間部であって、口部の上部に位置する部分に屈曲自在な細帯状体６を配置させたから、マスク装着時に、口部周辺に適宜空間が形成されることになって、激しい運動をしても息苦しくない。
【００５２】
又、掛け紐７として少々太い組み紐を採用したことによって、掛け紐７が耳部の付根部に食い込むことはなく、長時間マスク１を装着していても耳が痛くなることはない。
【００５３】
又、掛け紐７の一端部７ａを他端部７ｂに形成した結び目７ｃから引き出す長さを適宜変更して、輪状部７ｄの大きさを調整することによって、顔面の大きさが異なる使用者についても、衛生マスク１と顔面との隙間を極力小さくして、顔面にフィットさせることができる。
【００５４】
又、掛け紐７の輪状部７ｄの大きさを調整する際にあっては、マスク本体２の上端部に形成したＶ字状切欠部２ａも引っ張られるから、Ｖ字状切欠部２ａがより顔面にフィットして、鼻部との隙間が殆どなくなるという効果もある。
【００５５】
さらに、外側カバー４及び内側カバー５を中央部で分割した分割カバー部材４Ａ，４Ｂ及び５Ａ，５Ｂから構成することによって、左右で模様、色彩等が異なる興趣に富んだデザインの衛生マスク１を作製することができる。
【符号の説明】
【００５６】
１  衛生マスク
２  マスク本体
２ｂ  耳掛け装着部
２ａ  Ｖ字状切欠部
３  耳掛け部
４  外側カバー
４Ａ，４Ｂ  分割カバー部材
５  内側カバー
５Ａ，５Ｂ  分割カバー部材
５ａ  袋状部
６  細帯状体
７  掛け紐
【図１】
0003234220.tif 000003
【図２】
0003234220.tif 000004
【図３】
0003234220.tif 000005
【図４】
0003234220.tif 000006
【図５】
0003234220.tif 000007
【図６】
0003234220.tif 000008
【図７】
0003234220.tif 000009
【図８】
0003234220.tif 000010